(57)【要約】【課題】偏光および回折としての十分な機能と位相差機能とを有する、安価な一体型光学素子およびこれを備えた光ヘッド装置を得ることにある。【解決手段】偏光機能と回折機能とを分離して、偏光樹脂フィルム１または回折格子層４に別々に持たせているため、それぞれの機能を独立して設定することにより、第１および第２光学素子２０，２５に偏光および回折としての十分な機能を持たせることができる。また、複数の機能を一体化して一つの第１および第２光学素子２０，２５としているので、機能ごとに複数の光学素子が存在する場合と比較して、光ヘッド装置１００の組立工数を減少できる。【選択図】図２
2008004145.tif 000002
【特許請求の範囲】
【請求項１】
偏光樹脂フィルムと回折格子と位相差層とを備えた光学素子であって、
前記偏光樹脂フィルムと前記回折格子との間に、前記位相差層が配置されている
ことを特徴とする光学素子。
【請求項２】
請求項１に記載の光学素子において、
前記位相差層は、１／２波長樹脂フィルムである
ことを特徴とする光学素子。
【請求項３】
請求項１に記載の光学素子において、
前記位相差層は、第１の１／４水晶波長板および第２の１／４水晶波長板を備えている  ことを特徴とする光学素子。
【請求項４】
請求項１に記載の光学素子において、
前記位相差層は、第１の１／２水晶波長板であり、
前記偏光樹脂フィルムは、前記第１の１／２水晶波長板と第２の１／２水晶波長板とに挟まれている
ことを特徴とする光学素子。
【請求項５】
請求項１〜請求項４のいずれか一項に記載の光学素子において、
前記光学素子の光の透過面には、反射防止層が形成されている
ことを特徴とする光学素子。
【請求項６】
光源と、
前記光源からの出射光を光記録媒体に集光する対物レンズと、
前記光記録媒体からの反射光を検出する光検出器と、
前記出射光を前記対物レンズ側へ反射しかつ前記光記録媒体からの前記反射光の一部を前記光検出器側へ透過するとともに前記反射光の残りの部分を前記光源側へ反射するハーフミラーとを備え、
前記光源と前記ハーフミラーとの間の前記出射光の光路中に、偏光樹脂フィルムと回折格子との間に位相差層が配置されている光学素子が設置されている
ことを特徴とする光ヘッド装置。
【請求項７】
請求項６に記載の光ヘッド装置において、
前記光源を複数備え、
複数の前記光源からの前記出射光の交差する位置に合成プリズムが配置され、
前記合成プリズムと複数の前記光源との間に、前記光学素子が前記回折格子を前記光源側として設置されている
ことを特徴とする光ヘッド装置。
【請求項８】
請求項６または請求項７に記載の光ヘッド装置において、
前記位相差層は、１／２波長樹脂フィルムである
ことを特徴とする光ヘッド装置。
【請求項９】
請求項６または請求項７に記載の光ヘッド装置において、
前記位相差層は、第１の１／４水晶波長板および第２の１／４水晶波長板を備えている  ことを特徴とする光ヘッド装置。
【請求項１０】
請求項６または請求項７に記載の光ヘッド装置において、
前記位相差層は、第１の１／２水晶波長板であり、
前記偏光樹脂フィルムは、前記第１の１／２水晶波長板と第２の１／２水晶波長板とに挟まれている
ことを特徴とする光ヘッド装置。
【請求項１１】
請求項６〜請求項１０のいずれか一項に記載の光ヘッド装置において、
前記光学素子の光の透過面には、反射防止層が形成されている
ことを特徴とする光ヘッド装置。
【発明の詳細な説明】
【技術分野】
【０００１】
本発明は、偏光機能と回折素子と位相差機能とが組み合わされた光学素子およびこの光学素子を備えた光ヘッド装置に関する。
【背景技術】
【０００２】
光ディスク、光磁気ディスク等の光記録媒体から情報を読み取ったり、光記録媒体に情報を書き込んだりするために、半導体レーザ等の光源と、光記録媒体からの情報光を受光するフォトディテクタと、これらの間にレンズ、グレーティング、プリズム、ミラー等を配置した光ヘッド装置が使用されている。この中でグレーティングは、トラッキング制御用のサブビームを生成することを目的として用いられている。
特に、近年普及が進んでいるＤＶＤ（Digital  versatile  Disk）やＣＤ（Compact  disk）用光ヘッド装置においては、高速記録・再生を可能とするためにレーザ光のハイパワー化が進んでいる。
このため、レーザ光源から出射されたレーザ光が、光記録媒体の記録ピットに入射するとともに、該記録ピットから反射したレーザ光をフォトディテクタで受光する経路において、一部のレーザ光がレーザ光源へ戻る、いわゆる戻り光ノイズの問題が発生している。
つまり、戻り光がレーザ光源に達し、レーザ共振器内部へ入射すると、レーザ共振器内部のレーザ光と再結合することによってレーザ光の出力が不安定となってしまうという問題があった。
この対策として戻り光を回折させレーザ光源へ到達することを防止する技術が特許文献１に開示されている。
特許文献１に開示された偏光性回折格子は、複屈折性を有する高分子液晶を用いることによって、レーザ光源から光記録媒体へ向かう往路においてレーザ光を０次光と±１次光から構成される３ビームに回折するグレーティングとしての機能と、光記録媒体からレーザ光源へ向かう復路においては、０次光を消光することにより戻り光がレーザへ到達することを防止するという機能を有している。
さらに、偏光性回折格子素子レーザ光源から出射したレーザ光のフィールドパターンと偏光面の方向を制御するために１／２波長板の機能も有している。
【０００３】
【特許文献１】特開２００２−１７０２７２号公報（３頁および４頁、段落番号［００１１］〜［００１３］、［００２０］〜［００２３］、図４および図５）
【発明の開示】
【発明が解決しようとする課題】
【０００４】
ここで、グレーティングの回折角度は式（１）で表される。すなわち、回折角度はある波長に対してはピッチにより一義的に決定される。
θ＝ｓｉｎ-1（ｍλ／ｐ）・・・（１）
θ：回折角度
ｍ：回折次数
λ：波長
ｐ：ピッチ
一般的に、往路では光記録媒体のトラックピッチ等に合わせるため、回折角度θは数度となる。一方、復路では回折光がレーザ内に戻らない様にするために、回折角度θを大きくする必要があり、一般的に回折角度θは数十度を必要とする。
このため、特許文献１に開示された１つの偏光性回折素子を用いて戻り光をレーザ光源から遠ざける技術では、２つの回折角度を実現できない。また、２種類の回折格子、すなわち３ビームを発生させる無偏光性回折格子と、戻り光をレーザ光源から遠ざける偏光性回折素子とで構成すると、回折格子の製造に多くの工程が必要なため、高コスト化してしまうという問題があった。
本発明の目的は、偏光および回折としての十分な機能と位相差機能とを有する、安価な一体型光学素子およびこれを備えた光ヘッド装置を得ることにある。
【課題を解決するための手段】
【０００５】
本発明の光学素子は、偏光樹脂フィルムと回折格子と位相差層とを備えた光学素子であって、前記偏光樹脂フィルムと前記回折格子との間に、前記位相差層が配置されていることを特徴とする。
【０００６】
この発明によれば、戻り光ノイズを防止する手段として偏光性回折格子を用いるのでなく、吸収性の偏光樹脂フィルムにより実現したので、安価な光学素子が得られる。
【０００７】
本発明では、前記位相差層は、１／２波長樹脂フィルムであるのが好ましい。
この発明では、位相差層にも樹脂フィルムを用いているので、研磨等が必要な水晶板と比較して、光学素子としてのコストが抑えられる。
【０００８】
本発明では、前記位相差層は、第１の１／４水晶波長板および第２の１／４水晶波長板を備えているのが好ましい。
この発明では、波長板として水晶を用いているため、高温高湿度環境下であっても波長板への水分等の吸収が少ない。したがって、波長板の屈折率および板厚の環境による変化が少なく、波面収差等の光学特性が安定し、耐久性が向上する。
【０００９】
本発明では、前記位相差層は、第１の１／２水晶波長板であり、前記偏光樹脂フィルムは、前記第１の１／２水晶波長板と第２の１／２水晶波長板とに挟まれているのが好ましい。
この発明では、偏光樹脂フィルムが水分等を透過しにくい水晶からなる第１の１／２水晶波長板と第２の１／２水晶波長板によって挟まれているので、高温高湿度環境下であっても、偏光樹脂フィルムへの水分の吸収が少ない。したがって、偏光樹脂フィルムの屈折率およびフィルム厚の変化が少なく、波面収差等の光学特性が安定し、耐久性が向上する。
【００１０】
本発明では、前記光学素子の光の透過面には、反射防止層が形成されているのが好ましい。
この発明では、光学素子の光の透過面に反射防止層が形成されているため、表面での光の反射による透過率の低下が押さえられる。したがって、高透過率の光学素子が得られる。
【００１１】
本発明の光ヘッド装置は、光源と、前記光源からの出射光を光記録媒体に集光する対物レンズと、前記光記録媒体からの反射光を検出する光検出器と、前記出射光を前記対物レンズ側へ反射しかつ前記光記録媒体からの前記反射光の一部を前記光検出器側へ透過するとともに前記反射光の残りの部分を前記光源側へ反射するハーフミラーとを備え、前記光源と前記ハーフミラーとの間の前記出射光の光路中に、偏光樹脂フィルムと回折格子との間に位相差層が配置されている光学素子が設置されていることを特徴とする。
【００１２】
この発明によれば、光ヘッド装置に偏光機能と回折機能とを分離して持たせた一体型の光学素子を用いたことにより、前述の効果に加え、組立工数の減少した光ヘッド装置が得られる。
【００１３】
本発明では、前記光源を複数備え、複数の前記光源からの前記出射光の交差する位置に合成プリズムが配置され、前記合成プリズムと複数の前記光源との間に前記光学素子が前記回折格子を前記光源側として設置されているのが好ましい。
この発明では、複数の光源を備えた光ヘッド装置においても、前述の光学素子を光ヘッド装置が備えているので、前述と同様の効果が得られる。
【発明を実施するための最良の形態】
【００１４】
以下、本発明を具体化した実施形態について図面に基づいて説明する。
（第１実施形態）
図１は、第１実施形態における光ヘッド装置１００を示す構成図である。
図１において、光ヘッド装置１００は、光源としてＣＤ用の出力波長７８０ｎｍ帯域の半導体レーザである第１光源１０と、ＤＶＤ用の出力波長６６０ｎｍ帯域の半導体レーザである第２光源１５と、回折機能を有する第１光学素子２０および第２光学素子２５と、合成プリズム３０と、コリメータレンズ４０と、ハーフミラー５０と、立ち上げミラー６０と、１／４波長板７０と、対物レンズ８０と、フロントモニタ９０と、光検出器としての受光素子９５とを備えている。
【００１５】
第１光源１０から出射される出射光１１０（実線矢印）の光路には、第１光源１０側から、第１光学素子２０、合成プリズム３０、コリメータレンズ４０、ハーフミラー５０が順に配置されている。
合成プリズム３０は、頂角が９０°の二等辺三角形の底面を持つ三角柱のプリズムを二つ貼り合わせて直方体としたものであり、貼り合わせ面３５には、図示しないダイクロイックコートが形成されている。ここで、合成プリズム３０は、二等辺三角形の底面を下側にして、貼り合わせ面３５の法線と出射光１１０とのなす角が、４５°になるように配置されている。
【００１６】
第２光源１５は、合成プリズム３０を中心として第１光源１０から反時計回りに９０°回転した方向であって、第２光源１５からの出射光１１０と貼り合わせ面３５とのなす角が４５°になるように配置され、第２光源１５と合成プリズム３０との間には、第２光学素子２５が配置されている。
ここで、第１光源１０にＤＶＤ用半導体レーザを、第２光源１５にＣＤ用半導体レーザを用いても良い。また、出力波長に関しては、より短波長のグリーンレーザ、ブルーレーザであっても良い。
なお、合成プリズム３０の貼り合わせ面３５のダイクロイックコートは、入射するレーザ光の波長に応じて適宜設定することは言うまでもない。
【００１７】
ハーフミラー５０を中心として第１光源１０から反時計回りに９０°の方向に、立ち上げミラー６０が配置され、立ち上げミラー６０側から順に１／４波長板７０と対物レンズ８０とが配置されている。そして、対物レンズ８０は、光記録媒体２００の付近に配置されている。
また、ハーフミラー５０を挟んで第１光源１０の反対側には、フロントモニタ９０が配置され、立ち上げミラー６０の反対側には、受光素子９５が配置されている。
【００１８】
以下に、第１光源１０および第２光源１５から出射された出射光１１０の光路について詳しく説明する。ここで、第１光源１０および第２光源１５から出射された直後の出射光１１０は、直線偏光の拡散光である。
第１光源１０からの出射光１１０は、第１光学素子２０と合成プリズム３０とコリメータレンズ４０とを透過し、ハーフミラー５０に到達する。
第１光学素子２０では、出射光１１０が３ビームに分離され、直線偏光の偏光方向が９０°変わる。この出射光１１０は、合成プリズム３０を透過し、コリメータレンズ４０によって平行光にされ、ハーフミラー５０に到達する。
ハーフミラー５０では、出射光１１０の一部が透過し、フロントモニタ９０に到達する。
【００１９】
一方、第２光源１５からの出射光１１０は、第２光学素子２５を透過し、合成プリズム３０に入射する。合成プリズム３０では、出射光１１０は貼り合わせ面３５で４５°の反射角で反射され、第１光源１０の出射光１１０と同方向に出射され、ハーフミラー５０に到達する。ハーフミラー５０では、出射光１１０の一部が透過し、フロントモニタ９０に到達する。
【００２０】
フロントモニタ９０では、第１光源１０または第２光源１５の出射光１１０の強度を測定し、レーザ光の出力変動がモニタされる。
また、ハーフミラー５０では、第１光源１０または第２光源１５からの出射光１１０の大部分は４５°の反射角で反射され立ち上げミラー６０へと向かう。出射光１１０は立ち上げミラー６０で反射され、１／４波長板７０へ入射し、該１／４波長板７０で直線偏光から円偏光に変換されて対物レンズ８０を透過し、光記録媒体２００の記録ピットに入射する。
【００２１】
光記録媒体２００の記録ピットでは、記録された信号に応じて入射光１１０が逆回転の円偏光となって反射される。反射光１２０（点線矢印）は、再び対物レンズ８０を透過して１／４波長板７０へ入射し、該立ち上げミラー６０で反射されて、ハーフミラー５０に到達する。ここで、その光の大部分は透過し、受光素子９５に到達する。受光素子９５で、光記録媒体２００から反射した光を検出し、光記録媒体２００に記録された信号を読み取る。
【００２２】
ハーフミラー５０では、反射光１２０の一部がさらに反射され、再びコリメータレンズ４０に向かう。この反射光１２０は、第１光源１０および第２光源１５からの出射光の光路とは逆の光路を辿り、再び第１光源１０および第２光源１５へと向かう。
ここで、この反射光は、第１光学素子２０および第２光学素子２５によって遮断されるので、反射光１２０が第１光源１０および第２光源１５に入射することを防止できる。
【００２３】
以下に、第１および第２光学素子２０，２５の構造について詳しく説明する。
図２（ａ）は、本実施形態における第１および第２光学素子２０，２５の分解斜視図、同図（ｂ）は、Ｙ軸に沿った断面図である。
図２において、第１および第２光学素子２０，２５は、偏光樹脂フィルム１と位相差層である１／２波長樹脂フィルム２と回折格子としての回折格子層４を有するガラス板３とを備えている。１／２波長樹脂フィルム２は、偏光樹脂フィルム１とガラス板３との間に挟まれて積層されている。また、回折格子層４は、ガラス板３の１／２波長樹脂フィルム２と接している面と対向する大気の接する面に形成されている。したがって、偏光樹脂フィルム１と回折格子層４との間に、１／２波長樹脂フィルム２が挟まれた構成となっている。また、反射防止層５が、光の透過する透過面である偏光樹脂フィルム１の表面５１および回折格子層４の表面５１に形成されている。
【００２４】
偏光樹脂フィルム１には、二色性染料を吸着させたポリビニルアルコールの層をトリアセチルセルロースの層で挟み込んだ吸収タイプの偏光樹脂フィルムを用いることができる。
１／２波長樹脂フィルム２には、一軸延伸のポリカーボネートフィルム、液晶ポリマーフィルム、非晶質ポリオレフィンフィルムを用いることができる。
ガラス板３には、透過率の高い石英ガラス等を用いることができる。
【００２５】
回折格子層４としては、ガラス板３自体をエッチングして凹凸を形成してもよいし、ガラス板３に形成された二酸化ケイ素層等の誘電体層をエッチングして凹凸を形成してもよい。ここで、ＣＤ、ＤＶＤ等の一般な光ディスクで必要とされる回折角、回折効率に合わせるため、格子のピッチは数十μｍで凹部の深さは、０．数μｍが適当である。
凹凸周期構造の回折格子パターンは格子を平面的に上から見ると通常直線状であるが、直線格子の格子方向が異なる領域に分割した分割パターンや、直線格子の代わりに曲線格子のホログラムパターンとしてもよい。
【００２６】
偏光樹脂フィルム１と１／２波長樹脂フィルム２とガラス板３との接着は、透過性接着剤によって行う。透過性接着剤は、均質な屈折率を持ち、屈折率も偏光樹脂フィルム１、１／２波長樹脂フィルム２およびガラス板３に近いものを用いる。
反射防止層５には、出射光１１０の波長に応じて、よく知られたフッ化マグネシウム、二酸化ケイ素、酸化ジルコニウム、酸化チタン等からなる単層または多層の反射防止層を用いることができる。したがって、反射防止層５は、第１光源１０に使用される第１光学素子２０と第２光源１５に使用される第２光学素子２５とで、それぞれの光源の出射光１１０の異なった波長の反射を抑える、異なった設計とする。
【００２７】
以下に、第１および第２光学素子２０，２５を透過する光について説明する。
図２（ａ）において、第１または第２光源１０，１５からの出射光１１０は、図中の矢印Ｐ１で示すような偏光面を有している。また、図中には、矢印Ｐ１方向をＸ軸として、一点鎖線でＸ軸とＹ軸とを示している。
ガラス板３は等方性を有し、ガラス板３を透過する際偏光面に変化はない。
一方、１／２波長樹脂フィルム２は光軸２１を有し、Ｘ軸に対して光軸２１は紙面に向かって反時計回りに角度がθ１だけ傾けられて配置されている。角度θ１は４５°である。
ここで、光軸２１がＸ軸に対して紙面に向かって４５°傾いているので、１／２波長樹脂フィルム２を透過後の出射光１１０の偏光面はθ１の２倍だけ回転し、Ｙ軸に平行な矢印Ｐ２で示すような偏光面となる。偏光樹脂フィルム１は、その透過軸１１がＹ軸に対して平行になるように配置されている。したがって、１／２波長樹脂フィルム２を透過した出射光１１０は、偏光樹脂フィルム１を効率よく透過する。
【００２８】
図２（ｂ）において、第１および第２光源１０，１５からの出射光１１０は、回折格子層４によって、０次光１１１と２つの一次回折光１１２の３ビームに分離される。以下、説明の便宜上分離された３ビームも一つの出射光１１０として表す。
一方、光記録媒体２００からの反射光１２０は、偏光樹脂フィルム１の透過軸１１とは異なる図中紙面に対して垂直な矢印Ｐ３で表される偏光面を持つので、偏光樹脂フィルム１で遮断され、第１および第２光源１０，１５への反射光１２０の戻りが少なくなる。
以上の構成により、本実施形態の第１および第２光学素子２０，２５と光ヘッド装置１００が得られる。
【００２９】
以下、実施形態の効果を記載する。
（１）偏光機能と回折機能とを分離して、偏光樹脂フィルム１または回折格子層４に別々に持たせているため、それぞれの機能を独立して設定することにより、偏光および回折としての十分な機能を第１および第２光学素子２０，２５に持たせることができる。また、複数の機能を一体化して一つの第１および第２光学素子２０，２５としているので、機能ごとに複数の光学素子が存在する場合と比較して、光ヘッド装置１００の組立工数を減少できる。
【００３０】
（２）位相差層にも１／２波長樹脂フィルム２を用いているので、研磨等が必要な水晶板と比較して、第１および第２光学素子２０，２５としてのコストを抑えることができる。
【００３１】
（３）第１および第２光学素子２０，２５の光の透過する表面に反射防止層５が形成されているため、表面での光の反射による透過率の低下を押さえることができる。したがって、高透過率の第１および第２光学素子２０，２５を得ることができる。
【００３２】
（第２実施形態）
第２実施形態は、第１および第２光学素子２０，２５が異なる以外は、第１実施形態と同様の構成である。
なお、第１実施形態と同じ構成部材には同一符合を付し、ここでのそれらの説明を省略または簡略化する。後述する第３実施形態でも同様とする。
【００３３】
以下、第１および第２光学素子２０，２５の構成について説明する。
図３は、本実施形態における第１および第２光学素子２０，２５の分解斜視図、同図（ｂ）は、Ｙ軸に沿った断面図である。
図３において、第１および第２光学素子２０，２５は、偏光樹脂フィルム１と位相差層として第１の１／４水晶波長板６および第２の１／４水晶波長板７とを備えている。
回折格子層４は、第２の１／４水晶波長板７の大気の接する面に形成されている。
偏光樹脂フィルム１と回折格子層４との間に、第１の１／４水晶波長板６および第２の１／４水晶波長板７が挟まれるように積層されている。また、反射防止加工として、反射防止層５が、光の透過面である表面５１に形成されている。
【００３４】
以下に、第１および第２光学素子２０，２５を透過する光について説明する。
図３（ａ）において、第１または第２光源１０，１５からの出射光１１０は、図中の矢印Ｐ１で示すような偏光面を有している。また、図中には、矢印Ｐ１方向をＸ軸として、一点鎖線でＸ軸とＹ軸とを示している。
第１の１／４水晶波長板６および第２の１／４水晶波長板７の光軸６１，７１は、Ｘ軸に対して紙面に向かって反時計回りにそれぞれ角度がθ３，θ２傾けられている。角度θ３，θ２は４５°である。
ここで、出射光１１０の偏光面は、第１および第２の１／４水晶波長板６，７を透過する際に９０°回転し、Ｙ軸に平行な矢印Ｐ２で示すような偏光面となる。
偏光樹脂フィルム１は、その透過軸１１がＹ軸に対して平行になるように配置されている。したがって、出射光１１０は、偏光樹脂フィルム１を効率よく透過する。
【００３５】
図３（ｂ）において、出射光１１０は、第１実施形態と同様に、回折格子層４によって、０次光１１１と２つの一次回折光１１２の３ビームに分離され、光記録媒体２００からの反射光１２０は、偏光樹脂フィルム１で遮断され、第１および第２光源１０，１５への反射光１２０の戻りが少なくなる。
以上の構成により、本実施形態の第１および第２光学素子２０，２５と光ヘッド装置１００が得られる。
【００３６】
以下、実施形態の効果を記載する。
（４）第１の１／４水晶波長板６および第２の１／４水晶波長板７として水晶を用いているため、高温高湿度環境下であっても第１の１／４水晶波長板６および第２の１／４水晶波長板７への水分等の吸収が少ない。したがって、第１の１／４水晶波長板６および第２の１／４水晶波長板７の屈折率および板厚の環境による変化が少なく、波面収差等の光学特性を安定にでき、耐久性を向上できる。
【００３７】
（第３実施形態）
第３実施形態は、第１および第２光学素子２０，２５の構成が異なる以外は、第１実施形態と同様の構成である。
図４は、本実施形態における第１および第２光学素子２０，２５の分解斜視図、同図（ｂ）は、Ｙ軸に沿った断面図である。
図４において、第１および第２光学素子２０，２５は、偏光樹脂フィルム１と位相差層である第１の１／２水晶波長板８および第２の１／２水晶波長板９とを備えている。回折格子層４は、第２の１／２水晶波長板９の大気の接する面に形成されている。
偏光樹脂フィルム１は、第１の１／２水晶波長板８と第２の１／２水晶波長板９とに挟まれている。したがって、偏光樹脂フィルム１と回折格子層４との間に、第２の１／２水晶波長板９が挟まれる構成となっている。
また、反射防止加工として、反射防止層５が、光の透過面である表面５１に形成されている。
【００３８】
以下に、第１および第２光学素子２０，２５を透過する光について説明する。
図４（ａ）において、第１または第２光源１０，１５からの出射光１１０は、図中のＸ軸方向に矢印Ｐ１で示すような偏光面を有している。
ここで、第２の１／２水晶波長板９は、第２の１／２水晶波長板９の光軸９１が、Ｘ軸に対して紙面に向かって反時計回りに角度がθ４になるように配置されている。θ４は、２２．５°である。
したがって、出射光１１０の偏光面は、第２の１／２水晶波長板９を通過することによって、４５°回転し、Ｘ軸に対して紙面に向かって４５°の角度を持つ。
ここで、偏光樹脂フィルム１は、その透過軸１１がＸ軸に対して反時計回りに角度がθ５になるように配置されている。θ５は、４５°である。
したがって、第２の１／２水晶波長板９を透過した出射光１１０は、偏光樹脂フィルム１を効率よく透過する。
次に、第１の１／２水晶波長板８は、第１の１／２水晶波長板８の光軸８１が、Ｘ軸に対して反時計回りに角度がθ６になるように配置されている。θ６は、６７．５°である。
したがって、出射光１１０の偏光面は、第１の１／２水晶波長板８を通過することによって、４５°回転し、Ｙ軸と平行なＰ２の方向の偏光面を持つ光となって出射する。
【００３９】
図４（ｂ）において、出射光１１０は、第１実施形態と同様に、回折格子層４によって、０次光１１１と２つの一次回折光１１２の３ビームに分離され、光記録媒体２００からの反射光１２０は、偏光樹脂フィルム１で遮断され、第１および第２光源１０，１５への反射光１２０の戻りが少なくなる。
以上の構成により、本実施形態の第１および第２光学素子２０，２５と光ヘッド装置１００が得られる。
【００４０】
以下、実施形態の効果を記載する。
（５）偏光樹脂フィルム１が水分等を透過しにくい１／２水晶波長板８と第２の１／２水晶波長板９とに挟まれているので、高温高湿度環境下であっても、偏光樹脂フィルム１への水分等の吸収を少なくできる。したがって、偏光樹脂フィルム１の屈折率およびフィルム厚の変化が少なく、波面収差等の光学特性を安定にでき、耐久性を向上できる。
【００４１】
なお、本発明は前述の実施形態に限定されるものではなく、本発明の目的を達成できる範囲での変形、改良等は本発明に含まれるものである。
例えば、本発明にかかる光学素子である第１および第２光学素子２０，２５は、円柱形であっても良い。
【００４２】
また、本発明を実施するための最良の方法などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、使用する材料、形状その他の詳細な事項において、当業者が様々な変形を加えることができるものである。したがって、上記に開示した材料、形状などを限定した記載は、本発明の理解を容易にするために例示的に記載したものであり、本発明を限定するものではないから、それらの材料、形状などの限定の一部もしくは全部の限定を外した記載は、本発明に含まれるものである。
【図面の簡単な説明】
【００４３】
【図１】本発明の実施形態にかかる光ヘッド装置の構成図。
【図２】（ａ）は、本発明の第１実施形態にかかる光学素子の概略斜視図、（ｂ）は、断面図。
【図３】（ａ）は、本発明の第２実施形態にかかる光学素子の概略斜視図、（ｂ）は、断面図。
【図４】（ａ）は、本発明の第３実施形態にかかる光学素子の概略斜視図、（ｂ）は、断面図。
【符号の説明】
【００４４】
１…偏光樹脂フィルム、２…位相差層としての１／２波長樹脂フィルム、４…回折格子としての回折格子層、５…反射防止層、６…第１の１／４水晶波長板、７…第２の１／４水晶波長板、８…第１の１／４水晶波長板、９…第２の１／４水晶波長板、１０…光源としての第１光源、１５…光源としての第２光源、２０，２５…光学素子、３０…合成プリズム、５０…ハーフミラー、５１…透過面、８０…対物レンズ、９５…光検出器、１００…光ヘッド装置、２００…光記録媒体。
【図１】
2008004145.tif 000003
【図２】
2008004145.tif 000004
【図３】
2008004145.tif 000005
【図４】
2008004145.tif 000006